(57)【要約】      （修正有）【課題】バッテリードアにバッテリーコンタクトを取り付ける際にビスを必要とせずコストダウンを図れ、しかもバッテリードアに対するバッテリーコンタクトのがたつきを最小限に抑えることができるバッテリーコンタクトの取付け構造を提供する。【解決手段】携帯機器の電池ケースを覆うバッテリードア１に配置され、電池ケース内の電池のプラス側とマイナス側に接する接点４、５を有し、バッテリードア１にスライドして取り付けられ、バッテリードア１を電池ケースに閉めた際にバッテリードア１をロックするロック機構を備えたバッテリーコンタクトの取付け構造において、バッテリーコンタクト２は略平板状に形成され、バッテリードア１の開閉時のスライド方向と直交する方向にバッテリードア１に対してスライドされ、スライド方向先端側にバッテリードア１に形成された左右の圧入用凸部６、６の間に軽圧入される突出片７が形成されている。【選択図】図１
2008300257.tif 000002
【特許請求の範囲】
【請求項１】
携帯機器の電池ケースを覆うバッテリードアに配置され、前記電池ケース内の２本の電池のプラス側とマイナス側に接する接点を有し、前記バッテリードアにスライドして取り付けられるようにされ、前記バッテリードアを前記電池ケースに閉めた際にこのバッテリードアをロックするロック機構を備えたバッテリーコンタクトの取付け構造において、前記バッテリーコンタクトは略平板状に形成され、前記バッテリードアの開閉時のスライド方向と直交する方向に前記バッテリードアに対してスライドされ、スライド方向先端側に前記バッテリードアに形成された左右の圧入用凸部に軽圧入される突出片が形成されており、前記バッテリーコンタクトが前記バッテリードアにスライド方向先端側からスライドして取り付けられる際に、前記バッテリーコンタクトの突出片が前記バッテリードアの左右の圧入用凸部間に軽圧入されることにより、前記バッテリードアに取り付けられる前記バッテリーコンタクトのがたつきが防止されるように構成したことを特徴とするバッテリーコンタクトの取付け構造。
【請求項２】
前記バッテリードアには、前記バッテリーコンタクトがスライド方向先端側からスライドされる際に、前記バッテリーコンタクトのスライド方向先端側の縁部が入り込んで前記バッテリーコンタクトの外れを防止するための係入溝が形成されている請求項１に記載のバッテリーコンタクトの取付け構造。
【請求項３】
前記バッテリーコンタクトには、その略中央部に、前記バッテリードアの略中央部に突出形成された位置決め用凸部が入り込む位置決め用穴が形成されている請求項１又は２に記載のバッテリーコンタクトの取付け構造。
【請求項４】
前記バッテリーコンタクトには、前記電池ケース内の電池のマイナス側が接するための離間された２箇所の接点が設けられ、これらの接点間に前記電池のプラス側が接することを防ぐための貫通穴が形成されている請求項１乃至３のいずれかに記載のバッテリーコンタクトの取付け構造。
【発明の詳細な説明】
【技術分野】
【０００１】
本発明は、携帯機器の電池ケースを覆うバッテリードアに配置され、電池ケース内の２本の電池のプラス側とマイナス側に接する接点を有し、バッテリードアにスライドして取り付けられるようにされ、バッテリードアを電池ケースに閉めた際にこのバッテリードアをロックするロック機構を備えたバッテリーコンタクトの取付け構造に関するものである。
【背景技術】
【０００２】
従来のバッテリーコンタクトは、ビス締めや溶着でバッテリードアに固定されていたために、ビス締めの場合は、ビスを必要とするためにコスト高になり、溶着の場合は溶着作業を必要としていたという問題があった。
【０００３】
第１の従来技術を図３、図４、図５に示す。この従来の電池ケースの接点構造は、図３、図４、図５に示すように、絶縁基体１２１に、固定位置にて電気導通接片１２４と当接してその平面方向の移動を規制する位置決め用突起１２６ａ、１２６ｂ、１２６ｃと、固定位置にて電気導通接片１２４と係合してその厚さ方向の移動を規制する固定用フック１２５とを設け、電気導通接片１２４に、固定用フック１２５の貫通を許容しかつ固定用フック１２５が貫通した状態における固定用フック１２５と電気導通接片１２４の平面方向への相対移動を許容する大きさを有する固定用孔１２４ｅを設け、かつ位置決め用突起１２６ａ、１２６ｂ、１２６ｃは、固定用孔１２４ｅを貫通した固定用フック１２５が固定用孔１２４ｅ内を移動して電気導通接片１２４と係合した状態において電気導通接片１２４と当接して、その平面方向への移動を規制する位置に設けられた。（例えば、特許文献１参照）。
【０００４】
ところが、これにおいては、各部品の仕上がり具合によって、がつたきが生じることがあるという問題があった。
【０００５】
第２の従来技術を図６（ａ）（ｂ）に示す。この従来の電子機器は、図６（ａ）（ｂ）に示すように、挿脱自在な複数本の電池又は充電式電池２０６を装填する電池収納室の開口部に、開閉操作可能であると共に、閉じ位置にてロック機構を設けた電池蓋２０９を有する電子機器であって、電池２０６の正極側あるいは負極側の電極に接触する導電部材からなり且つ電池蓋２０９に保持された電極板２０８の電池蓋２０９に保持される平板部と電池２０６と当接する接触部の間に押圧力に抗してバネ圧／バネ力を持たせ、一体成形し、電池蓋２０９の補強を兼ねる。（例えば、特許文献２参照）。
【０００６】
ところが、これにおいては、電極板２０８に左右方向のがたつきがでるという問題があった。また、これには、電池蓋２０９のロック機構がついていないものであった。
【特許文献１】実開平６−７８９４１号公報
【特許文献２】特開２００３−２４２９４９号公報
【発明の開示】
【発明が解決しようとする課題】
【０００７】
本発明は、上記従来の問題に鑑みてなされたものであって、バッテリードアにバッテリーコンタクトを取り付ける際にビスを必要とせずコストダウンを図れ、しかもバッテリードアに対するバッテリーコンタクトのがたつきを最小限に抑えることができるバッテリーコンタクトの取付け構造を提供することを目的としている。
【課題を解決するための手段】
【０００８】
本発明は、上記課題を解決するために提案されたものであって、請求項１に記載の発明は、携帯機器の電池ケースを覆うバッテリードアに配置され、前記電池ケース内の２本の電池のプラス側とマイナス側に接する接点を有し、前記バッテリードアにスライドして取り付けられるようにされ、前記バッテリードアを前記電池ケースに閉めた際にこのバッテリードアをロックするロック機構を備えたバッテリーコンタクトの取付け構造において、前記バッテリーコンタクトは略平板状に形成され、前記バッテリードアの開閉時のスライド方向と直交する方向に前記バッテリードアに対してスライドされ、スライド方向先端側に前記バッテリードアに形成された左右の圧入用凸部に軽圧入される突出片が形成されており、前記バッテリーコンタクトが前記バッテリードアにスライド方向先端側からスライドして取り付けられる際に、前記バッテリーコンタクトの突出片が前記バッテリードアの左右の圧入用凸部間に軽圧入されることにより、前記バッテリードアに取り付けられる前記バッテリーコンタクトのがたつきが防止されるように構成したことを特徴としている。
【０００９】
請求項２に記載の発明は、請求項１に記載の発明において、前記バッテリードアには、前記バッテリーコンタクトがスライド方向先端側からスライドされる際に、前記バッテリーコンタクトのスライド方向先端側の縁部が入り込んで前記バッテリーコンタクトの外れを防止するための係入溝が形成されている。
【００１０】
請求項３に記載の発明は、請求項１又は２に記載の発明において、前記バッテリーコンタクトには、その略中央部に、前記バッテリードアの略中央部に突出形成された位置決め用凸部が入り込む位置決め用穴が形成されている。
【００１１】
請求項４に記載の発明は、請求項１乃至３のいずれかに記載の発明において、前記バッテリーコンタクトには、前記電池ケース内の電池のマイナス側が接するための離間された２箇所の接点が設けられ、これらの接点間に前記電池のプラス側が接することを防ぐための貫通穴が形成されている。
【発明の効果】
【００１２】
請求項１に記載の発明によれば、バッテリードアに形成された左右の圧入用凸部間にバッテリーコンタクトのスライド方向先端側に設けられた突出片が軽圧入されるから、バッテリーコンタクトをバッテリードアに取り付ける際にビスを必要しないことによりコストダウンを図ることができ、しかもバッテリードアに対するバッテリーコンタクトのがたつきを最小限に抑えることができる。
【００１３】
請求項２に記載の発明によれば、バッテリードアに、バッテリーコンタクトがスライド方向先端側からスライドされる際に、バッテリーコンタクトのスライド方向先端側の縁部が入り込む係入溝が形成されているから、バッテリードアに対してバッテリーコンタクトが外れることを防ぐことができる。
【００１４】
請求項３に記載の発明によれば、バッテリードアの略中央部に突出形成された位置決め用凸部が入り込む位置決め用穴がバッテリーコンタクトに形成されているから、この位置決め用穴を位置決め用凸部に入り込ませることによって、バッテリードアに対するバッテリーコンタクトの位置決めをすることができ、バッテリーコンタクトをバッテリードアに正確に取り付けることができる。
【００１５】
請求項４に記載の発明によれば、バッテリーコンタクトにおける電池ケース内の電池のマイナス側が接するための離間された２箇所の接点間に貫通穴が形成されているから、電池が電池ケースに逆挿入されていると、逆挿入された電池のプラス側がこの貫通穴内に位置してバッテリーコンタクトの接点に接しないことにより、電池の逆挿入を防ぐことができる。
【発明を実施するための最良の形態】
【００１６】
以下、本発明に係るバッテリーコンタクトの取付け構造の実施の形態について、図を参照しつつ説明する。
【００１７】
図１は本発明の実施形態のバッテリーコンタクトの取付け構造におけるバッテリードアに対してバッテリーコンタクトを取り付けた状態を示し、（ａ）はその平面図、（ｂ）は（ａ）におけるＡ−Ａ線断面図、（ｃ）は（ａ）におけるＢ−Ｂ線断面図、図２はバッテリードアにバッテリーコンタクトをスライドしながら取り付けている状態を示し平面図である。
【００１８】
本実施形態のバッテリーコンタクトの取付け構造は、図１（ａ）に示すように、小型テレビや携帯ラジオ等の携帯機器の電池ケースを覆うバッテリードア１に、バッテリーコンタクト２が図にて手前側にスライドして取り付けられるようになっている。即ち、バッテリードア１の開閉時のスライド方向と直交する方向にバッテリーコンタクト２がバッテリードア１に対してスライドして取り付かれるようになっている。バッテリーコンタクト２は、略平板状に形成され、図にて左端側に、携帯機器の電池ケースの外面に設けられた係止突起（図示略）に係止して携帯機器に対してバッテリードア１がスライドした後に開かれるときのスライドを阻止するための係止爪３が突出形成されている。また、バッテリーコンタクト２には、電池ケース内の２本の電池（図示略）のプラス側に接触する接点４とマイナス側に接触するために離間された２箇所の接点５、５が設けられている。
【００１９】
バッテリーコンタクト２には、スライド方向先端側（図にて手前側）にバッテリードア１に手前側に形成された左右の圧入用凸部６、６に軽圧入される突出片７が形成されている。また、図１（ｂ）（ｃ）にも示すように、バッテリードア１には、バッテリーコンタクト２がスライド方向先端側（図にて手前側）からスライドされる際に入り込む係入溝８、９が長手方向略中央部と長手方向右端部に形成されている。更に、バッテリーコンタクト２には、その略中央部に、バッテリードア１の略中央部に形成された位置決め用凸部１０が入り込む位置決め用穴１１が形成されている。また、バッテリーコンタクト２の離間された２箇所の接点５、５間に略長方形の貫通穴１２が形成されている。
【００２０】
図２に矢示するように、バッテリーコンタクト２は、バッテリードア１に対して図にて手前側に向けてスライドされ、突出片７がバッテリードア１の左右の圧入用凸部６、６の間に軽圧入され、手前側のスライド方向先端側の縁部１３の左右２箇所がバッテリードア１の係入溝８、９に係入される。更に、バッテリーコンタクト２の略中央部の位置決め用穴１１にバッテリードア１の位置決め用凸部１０に入り込む。
【００２１】
従って、本実施形態によれば、バッテリードア１に形成された左右の圧入用凸部６、６間にバッテリーコンタクト２のスライド方向先端側に設けられた突出片７が軽圧入されるから、バッテリーコンタクト２をバッテリードア１に取り付ける際にビスを必要しないことによりコストダウンを図ることができ、しかもバッテリードア１に対するバッテリーコンタクト２のがたつきを最小限に抑えることができる。更に、バッテリードア１に、バッテリーコンタクト２がスライド方向先端側からスライドされる際に、バッテリーコンタクト２のスライド方向先端側の縁部１３が入り込む係入溝８、９が形成されているから、バッテリードア１に対してバッテリーコンタクト２が外れることを防ぐことができる。
【００２２】
また、バッテリードア１の略中央部に突出形成された位置決め用凸部１０が入り込む位置決め用穴１１がバッテリーコンタクト２に形成されているから、この位置決め用穴１１を位置決め用凸部１０に入り込ませることによって、バッテリードア１に対するバッテリーコンタクト２の位置決めをすることができ、バッテリーコンタクト２をバッテリードア１に正確に取り付けることができる。更に、バッテリーコンタクト２における電池ケース内の電池のマイナス側が接するための離間された２箇所の接点間５、５に貫通穴１２が形成されているから、電池が電池ケースに逆挿入されていると、逆挿入された電池のプラス側がこの貫通穴１２内に位置してバッテリーコンタクト２の接点５、５に接しないことにより、電池の逆挿入を防ぐことができる。
【図面の簡単な説明】
【００２３】
【図１】本発明の実施形態のバッテリーコンタクトの取付け構造におけるバッテリードアに対してバッテリーコンタクトを取り付けた状態を示し、（ａ）はその平面図、（ｂ）は（ａ）におけるＡ−Ａ線断面図、（ｃ）は（ａ）におけるＢ−Ｂ線断面図である。
【図２】バッテリードアにバッテリーコンタクトをスライドしながら取り付けている状態を示し平面図である。
【図３】従来の電池ケースの接点構造を示す斜視図である。
【図４】同接点構造の部分拡大断面図である。
【図５】同接点構造における電気導通接片を絶縁基体（開閉蓋）にスライドして取付けている状態を示す部分拡大断面図である。
【図６】従来の電子機器を示し、（ａ）はその電池蓋を開放した状態を示す斜視図、（ｂ）はその電池蓋及び電極板の組立構成例を示す拡大斜視図である。
【符号の説明】
【００２４】
１      バッテリードア
１      バッテリーコンタクト
３      係止爪
４      接点
５      接点
６      圧入用凸部
７      突出片
８      係入溝
９      係入溝
１０    位置決め用凸部
１１    位置決め用穴
１２    貫通穴
１３    縁部
【図１】
2008300257.tif 000003
【図２】
2008300257.tif 000004
【図３】
2008300257.tif 000005
【図４】
2008300257.tif 000006
【図５】
2008300257.tif 000007
【図６】
2008300257.tif 000008